(57)【要約】【課題】ボディの厚みが異なるカメラであっても、同一のファインダユニットの共通化を図ることの可能なカメラを提供する。【解決手段】撮影光学系を有する交換レンズ１と、撮影光学系からの光束を撮影可能な撮像素子２２と、撮影光学系からの光束を反射させ、また撮影光学系からの光束から退避した撮影状態とに移動可能な反射可動ミラー１１と、撮影光学系からの光束を観察可能なファインダユニット１２と、このファインダユニット１２の光軸上に配置された第２の等倍光学系１５と、背面に配置された液晶モニタ４２を具備する。等倍光学系１５と液晶モニタ４２は、共にカメラの外装部材３０に保持されている。ファインダユニット１２は、等倍光学系１５を有しないカメラに対しても共用できる。  【選択図】  図１
2009109529.tif 000002
【特許請求の範囲】
【請求項１】
撮影光学系と、
この撮影光学系からの光束を撮影可能な撮像手段と、
上記撮影光学系からの光束を反射可能な観察状態と、上記撮影光学系からの光束に対して退避した撮影状態とに移動可能な反射部材と、
上記撮影光学系からの光束を観察可能なファインダユニットと、
このファインダユニットの光軸上に配置された第２の光学系と、
背面に配置された表示装置と、
を具備するカメラにおいて、
上記第２の光学系と上記表示装置は、共にカメラの外装部材に保持されたことを特徴とするカメラ。
【請求項２】
上記第２の光学系の倍率は、略等倍であることを特徴とする請求項１に記載のカメラ。
【請求項３】
上記表示装置は、カメラの外装部材に対して、移動可能であることを特徴とする請求項１に記載のカメラ。
【請求項４】
撮影光学系と、
この撮影光学系からの光束を撮影可能な撮像手段と、
撮影光学系からの光束を観察可能なファインダユニットと、
ライブビュー表示可能な表示装置と、
を具備するカメラにおいて、
上記ファインダユニットと同軸上に第２の光学系が配置されていることを特徴とするカメラ。
【請求項５】
上記第２の光学系の倍率は、略等倍であることを特徴とする請求項４に記載のカメラ。
【請求項６】
上記表示装置は、カメラの外装部材に対して、移動可能であることを特徴とする請求項４に記載のカメラ。
【請求項７】
撮影光学系と、
第１の光学系と第２の光学系によって構成されるファインダユニットと、
カメラの背面に配置された表示装置と、
を具備するカメラにおいて、
上記ファインダユニットの第１の光学系は、カメラの内部ユニットに支持され、上記ファインダユニットの第２の光学系は、カメラの外装部材に支持されることを特徴とするカメラ。
【請求項８】
上記第１の光学系と上記第２の光学系によって構成されるファインダユニットの倍率は、上記第１の光学系のみの倍率と略等価であることを特徴とする請求項７に記載のカメラ。
【発明の詳細な説明】
【技術分野】
【０００１】
本発明は、カメラに関し、詳しくは、背面に表示装置を有すると共に、ファインダ光学系を有するカメラに関する。
【背景技術】
【０００２】
ファインダ光学系を有し、この光学ファインダによって被写体像を観察し、フレーミングやシャッタタイミングを決定するカメラは、従来から知られている。また、最近では、撮像素子を内蔵し、この撮像素子で取得した画像を、カメラ背面等に設けた液晶モニタ等の表示装置に表示するカメラが知られている。さらに、カメラの背面に設けた表示装置は、撮影者が種々の角度で構えた場合でも観察しやすいように、ヒンジ部を設け、表示装置を回転可能に構成したカメラも知られている（特許文献１）。
【特許文献１】特開２００３−６０９４２号公報
【０００３】
これら、従来の光学ファインダに加えて固定タイプの液晶モニタを備えるカメラと、光学ファインダに加えてヒンジ部を設けた液晶モニタを備えるカメラについて、図６および図７を用いて説明する。なお、説明にあたっては、デジタル一眼レフレックスカメラに適用した例である。
【０００４】
図６に示すカメラ本体１００の内部には、交換レンズ１０１によって結像される被写体光束を反射する位置と、この被写体光束を妨げない位置との間で移動可能な可動反射ミラー１１１が配置されている。交換レンズ１０１の光軸上であって、可動反射ミラー１１１の背後には、シャッタユニット１２１、撮像素子１２２が配置されている。また、可動反射ミラー１１１によって上方に反射された被写体光束の光路上には、ファインダユニット１１２、接眼光学系１１３および保護ガラス１１４が配置されている。
【０００５】
保護ガラス１１４はカメラ本体１００の外装体１３０に一体に設けられている。また、カメラ本体１００の背面には液晶モニタ１４０が、外装体１３０に一体に固定されている。この液晶モニタ１４０は、撮像素子１２２によって撮像された被写体像のライブビュー表示等を行う。液晶モニタ１４０の表面と保護ガラスの間は距離Ｌ１だけ離れており、撮影者はアイポイントに目を位置させることによって、被写体像を観察することができる。
【０００６】
次に、図７に示すデジタル一眼レフカメラは、液晶モニタが可動式のタイプである。このデジタル一眼レフカメラの構成は、液晶モニタ部が異なる他は同様の構成である。液晶モニタ部は、モニタケース１４１と液晶モニタ１４２から構成されている。このモニタケース１４１は液晶モニタ１４２を可動にする機構を有しており、撮影者側に引き出したり、カメラ正面側に表示面を回動させる等、種々の方向に移動させることができる。
【０００７】
モニタケース１４１は、このような移動機構を有しているために、厚みＤが全体として厚くなっている。つまり、液晶モニタ１４２の表面と保護ガラス１１４の間は距離Ｌ２だけ離れており、しかも、図６に示した場合と逆の方向となっていることから、全体として、液晶モニタ１４２は、後方に張り出した感じとなっている。
【０００８】
また、液晶モニタを有するカメラではないが、防水カメラにおいてファインダ用アタッチメント光学系を備えた防水ケースが知られている。例えば、特許文献２には、水密に構成し、その内部にカメラ本体を装填可能とすると共に、カメラ本体のファインダ光学系の光軸と一致するようにアタッチメント光学系を設けた防水カメラケースが開示されている。アタッチメント光学系を設けることにより、射出瞳の位置をファインダ光学系の最終面から離れた位置に変位させ、良好な物体像の観察を可能としている。
【特許文献２】特開２００７−３６２５号公報
【０００９】
防水カメラケースは、このような構成なので、カメラ本体に防水カメラケースを装着しない場合には、カメラ本体のファインダ光学系を通して被写体像を観察することができる。また、防水カメラケースを装着した場合には、カメラ本体のファインダ光学系とアタッチメント光学系を通して良好な被写体を観察することができる。
【発明の開示】
【発明が解決しようとする課題】
【００１０】
図７に示すような可動タイプの液晶モニタ１４２は、カメラの構え方に係わらず表示面の向きを最適な方向に変えることができることから大変便利である。しかし、撮影者がアイポイントに目をおいた状態で、被写体像を観察しようとすると、液晶モニタ１４２に対して鼻や頬が邪魔になり、撮影者の目をファインダ光学系のアイポイントに位置させるのは困難である。そこで、ファインダ光学系の図６に示した例よりも後方にすることが考えられる。
【００１１】
しかし、このような解決策では、カメラの機種ごとにファインダ光学系を異ならせることになり、ファインダユニットの共通化を図ることができず、カメラ全体がコストアップしてしまうという問題がある。そこで、カメラ本体のファインダ光学系を各機種に対して共通にし、アイポイントの位置を変更するために、特許文献２に開示の防水カメラケースのようにアタッチメント光学系を設けたケースを用意する方法が考えられる。しかし、この方法では、ケースを必要とすることから、カメラ全体が大きくなってしまい携帯性を損ねてしまうという不具合があり、このためボディの厚みが異なるカメラに対しても同一のファインダユニットの共通化を図ることは困難であった。
【００１２】
本発明は、このような事情を鑑みてなされたものであり、ボディの厚みが異なるカメラであっても、同一のファインダユニットの共通化を図ることの可能なカメラを提供することを目的とする。
【課題を解決するための手段】
【００１３】
上記目的を達成するため第１の発明に係わるカメラは、撮影光学系と、この撮影光学系からの光束を撮影可能な撮像手段と、上記撮影光学系からの光束を反射可能な観察状態と、上記撮影光学系からの光束に対して退避した撮影状態とに移動可能な反射部材と、上記撮影光学系からの光束を観察可能なファインダユニットと、このファインダユニットの光軸上に配置された第２の光学系と、背面に配置された表示装置を具備するカメラにおいて、上記第２の光学系と上記表示装置は、共にカメラの外装部材に保持されている。
【００１４】
第２の発明に係わるカメラは、上記第１の発明において、上記第２の光学系の倍率は、略等倍である。
また、第３の発明に係わるバッテリホルダは、上記第１の発明において、上記表示装置は、カメラの外装部材に対して、移動可能である。
【００１５】
上記目的を達成するため第４の発明に係わるカメラは、撮影光学系と、この撮影光学系からの光束を撮影可能な撮像手段と、撮影光学系からの光束を観察可能なファインダユニットと、ライブビュー表示可能な表示装置と、を具備するカメラにおいて、上記ファインダユニットと同軸上に第２の光学系が配置されている。
【００１６】
第５の発明に係わるカメラは、上記第４の発明において、上記第２の光学系の倍率は、略等倍である。
また、第６の発明に係わるカメラは、上記第４の発明において、上記表示装置は、カメラの外装部材に対して、移動可能である。
【００１７】
上記目的を達成するため第７の発明に係わるカメラは、撮影光学系と、第１の光学系と第２の光学系によって構成されるファインダユニットと、カメラの背面に配置された表示装置と、を具備するカメラにおいて、上記ファインダユニットの第１の光学系は、カメラの内部ユニットに支持され、上記ファインダユニットの第２の光学系は、カメラの外装部材に支持されている。
【００１８】
第８の発明に係わるカメラは、上記第７の発明において、上記第１の光学系と上記第２の光学系によって構成されるファインダユニットの倍率は、上記第１の光学系のみの倍率と略等価である。
【発明の効果】
【００１９】
本発明によれば、ボディの厚みが異なるカメラであっても、同一のファインダユニットの共通化を図ることの可能なカメラを提供することができる。
【発明を実施するための最良の形態】
【００２０】
以下、図面に従って本発明を適用したデジタル一眼レフカメラを用いて好ましい実施形態について説明する。本発明の第１実施形態に係わるデジタル一眼レフカメラにおいて、撮影レンズを通過し、可動反射ミラーによって反射された被写体光束は、フォーカシングスクリーン上に結像し、この被写体像はファインダ光学系を通して観察される。また、可動反射ミラーが退避し、撮像素子上に結像した被写体像は撮像素子によって光電変換され、この光電変換信号に基づく画像データは、記録媒体に記録可能であると共に、被写体像の観察用に液晶モニタにライブビュー表示（「スルー画表示」ともいう）される。
【００２１】
図１は、第１実施形態に係わるデジタル一眼レフカメラの撮影レンズの光軸方向に沿った断面図である。交換レンズ１内には撮影光学系が配置されており、この交換レンズ１はカメラ本体１０のマウント１７において装着可能となっている。なお、本実施形態においては、撮影レンズは交換レンズであるが、カメラ本体１０に固定するタイプの撮影レンズであっても勿論かまわない。
【００２２】
カメラ本体１０のマウント１７側のミラーボックス内には可動反射ミラー１１が配置されている。この可動反射ミラー１１は、撮影光学系を通過した被写体光束をカメラ本体１０の上方に反射する反射位置（観察位置）と、撮影光学系の光軸から退避する退避位置（移動位置）の間で回動可能に構成される。
【００２３】
可動反射ミラー１１の中央付近はハーフミラーで構成されており、この可動反射ミラー１１の背面には、ハーフミラー部で透過した被写体光をカメラ本体１０のミラーボックス内の下部に反射するためのサブミラー１１ａが設けられている。このサブミラー１１ａは、可動反射ミラー１１に対して回動可能であり、可動反射ミラー１１が跳ね上がっているときには（退避位置にあるとき）、ハーフミラー部を覆う位置に回動し、可動反射ミラー１１が反射位置（観察位置）にあるときには、図示する如く可動反射ミラー１１に対して開いた位置にある。
【００２４】
サブミラー１１ａの下方にはＡＦユニット１６が配置されており、このＡＦユニット１６は、公知のＴＴＬ瞳分割方式による測距を行うためのＡＦユニットであり、内部にはＡＦセンサとＡＦセンサ駆動回路が設けられている。ＡＦセンサ駆動回路は、ＡＦセンサの回路系の駆動を行ない、ＡＦセンサから信号を読み出す。この信号出力に基づいて、交換レンズ１内の撮影光学系によって結像される被写体像の焦点ズレ量を求める。
【００２５】
可動反射ミラー１１の後方には、露光時間制御用のフォーカルプレーンタイプのシャッタユニット２１が配置されており、シャッタユニット２１の後方には撮像素子２２が配置されている。撮像素子２２は、撮影光学系１１によって結像される被写体像を電気信号に光電変換する。なお、撮像素子２２としては、ＣＣＤ（Charge Coupled
Devices）や、ＣＭＯＳ（Complementary Metal Oxide Semiconductor）等の二次元撮像素子を使用できることはいうまでもない。撮像素子２２の後方には、撮像素子２２の周辺回路を含み、このデジタル一眼レフカメラを駆動制御するための種々の素子を備えた回路基板２３が配置されている。
【００２６】
可動反射ミラー１１の上方であって、撮像素子２２と等価の位置にフォーカシングスクリーン１８が配置されている。このフォーカシングスクリーン１８上に、交換レンズ１内の撮影光学系による被写体像が結像する。フォーカシングスクリーン１８の上方には、ペンタプリズム１９が配置され、このペンタプリズム１９の出射側に接眼光学系１３が配置されている。フォーカシングスクリーン１８、ペンタプリズム１９および接眼光学系１３からファインダユニット１２が構成される。
【００２７】
上述したファインダユニット１２、可動反射ミラー１１、シャッタユニット２１、撮像素子２２等の各部材は、カメラ本体１０の外装部材３０内に配置されている。外装部材３０はカメラ本体１０の構造部材である。接眼光学系１３の光軸上に等倍光学系１５が配置され、その後方に保護ガラス１４が配置されている。これらの等倍光学系１５と保護ガラス１４は、外装部材１５に固定されている。なお、等倍光学系１５は、正確に等倍である必要はなく、略等倍であればよい。
【００２８】
この等倍光学系１５を配置することにより、アイポイントの位置を後方にずらすことができる。この点について、図２を用いて説明する。図２（Ａ）は等倍光学系１５を配置しない場合のファインダ光学系の構成を示し、図２（Ｂ）は等倍光学系１５を配置した場合のファインダ光学系の構成を示す。
【００２９】
等倍光学系１５が配置されていない場合には、図２（Ａ）に示すように、フォーカシングスクリーン１８、ペンタプリズム１９、接眼光学系１３、保護ガラス１４の順に配置されており、この後方に、アイポイント２０ａがある。なお、ここでペンタプリズム１９は光学的な展開図で示し、また、レンズ１３ａは視度調節用である。
【００３０】
図２（Ｂ）に示す等倍光学系１５が配置されている場合には、フォーカシングスクリーン１８、ペンタプリズム１９および接眼光学系１３は、図２（Ａ）の場合と全く同様である。そして、接眼光学系１３の後方に等倍光学系１５と保護ガラス１４が配置されている。等倍光学系１５を配置することにより、アイポイント２０ｂは、アイポイント２０ａに対して距離ｚだけ後方に移動する。
【００３１】
図１に戻り、カメラ本体１０の背面側であって、接眼部の保護ガラス１４の下方側には、液晶モニタ４２が設けられている。この液晶モニタ４２の表示面と保護ガラス１４の間は距離Ｌ３であり、表示面の方がカメラ本体１０側に引き込んでいる。また、液晶モニタ４２は、図３に示すように、厚さがＤのモニタケース４１によって保持されており、モニタケース４１はカメラ本体１０に保持され、かつカメラ本体１０対して可動に構成されている。すなわち、モニタケース４１は、矢印Ａ（図３参照）の回りに回動可能であると共に、矢印Ｂの回りにも回動可能である。
【００３２】
このため、モニタケース４１を回動させることにより、液晶モニタ４２の表示面は矢印Ｂ回りに傾けて観察することもできるし、また、１８０度回動させて、カメラ正面側から観察することも可能である。なお、液晶モニタ４２の移動は、本実施形態に示すような軸回りの可動のみならず、カメラ本体１０から引き出すように構成してもよく、この場合には、引き出した位置で液晶表示面を上側や下側、また右側や左側に傾けるように構成しても勿論かまわない。
【００３３】
カメラ本体１０の上面にはシャッタ釦４５が配置されており、このシャッタ釦４５を操作することにより、撮影準備動作や撮影動作を行う。撮影動作が指示されると、撮像素子２２によって取得された画像データが、図示されない記録媒体に記録される。
【００３４】
カメラ本体１０の外装部材３０は、図４に示すように、トップカバーユニット３１、フロントカバーユニット３２、リヤカバーユニット３３の３つのカバーユニットから構成されている。前述の等倍光学系１５および保護ガラス１４は、リヤカバーユニット３３の接眼枠３３ａの近傍に固定されている。
【００３５】
このように、本実施形態に係わるデジタル一眼レフカメラは、厚みがある液晶モニタ４２を採用した場合には、等倍光学系１５を外装体３０に固定するようにしている。このため、ファインダユニット１２は厚みがない液晶モニタ１４０を採用している場合と同じユニットを使用することができ、コスト低減を図ることができる。また、等倍光学系１５を配置することにより、アイポイントの位置を変更することができ、液晶モニタ４２に厚みがあっても、光学ファインダを観察する際に見難くなることがない。
【００３６】
なお、本実施形態においては、液晶モニタ４２は可動形式であったが、固定形式であってもよい。すなわち、液晶モニタの厚みＤが厚い場合には、本実施形態のように、等倍光学系１５を配置することにより、アイポイントを適正な位置とすることができ、光学ファインダを見やすくすることができる
【００３７】
次に、本発明の第２実施形態について、図５を用いて説明する。第１実施形態では、外装部材３０のリヤカバーユニット３３は接眼枠３３ａと一体であったが、第２実施形態においては、リヤカバーユニット３４と接眼枠ユニット３５の２部材に分割し、これらのユニットを組み立て時に、一体化している。この構成以外は第１実施形態と同様であるので、同一の構成について、詳細な説明は省略する。
【００３８】
以上、説明したように、本発明の各実施形態においては、ファインダ光学系の光軸上に等倍光学系１５のような第２の光学系を配置している。また、各実施形態においては、ファインダ光学系の後方に配置する第２の光学系および液晶モニタ等の表示装置をカメラの外装体によって保持するようにしている。このため、液晶モニタ等の表示装置に厚みがある場合であっても、ファインダユニットを共通に採用することができ、カメラのコストの低減に寄与することができる。
【００３９】
また、本発明の各実施形態において、前述の第２の光学系は略等倍であることから、ファインダのアイポイントが異なる機種においても、ファインダを見た際の像の大きさを同じにすることができる。これにより、低コストでカメラのシリーズ化が可能である。さらに、各実施形態において、液晶モニタ等の表示装置は、外装体に対して、移動可能に構成しているので、表示面を見やすい位置に移動させつつ、ファインダ光学系での観察を行い易い構成となっている。
【００４０】
なお、各実施形態の説明において、ファインダユニット１２は、ファインダスクリーン１８、ペンタプリズム１９、接眼光学系１３から構成されるとしたが、ファインダスクリーン１８はミラーボックスユニットとして部組みすることにし、ファインダユニット１２をペンタプリズム１８および接眼光学系１３等から構成するようにしてもよい。
【００４１】
また、各実施形態においては、デジタル一眼レフカメラを例に挙げて説明したがこれに限らず、コンパクトデジタルカメラ等にも、本発明を適用することができる。またこれらのデジタルカメラ以外にも、ビデオカメラ等の携帯電子機器でもよく、また専用機に組み込まれるような撮像装置であってもよい。いずれにしても、光学ファインダと液晶モニタ等の表示装置が配置されたカメラであれば本発明を適用できる。
【００４２】
また、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００４３】
【図１】本発明の第１実施形態に係わるデジタル一眼レフカメラの撮影レンズの光軸方向に沿った断面図である。
【図２】本発明の第１実施形態に係わるデジタル一眼レフカメラのファインダ光学系の構成を示す、図２（Ａ）は等倍光学系を配置しない場合のファインダ光学系の構成を示し、図２（Ｂ）は等倍光学系を配置した場合のファインダ光学系の構成を示す。
【図３】本発明の第１実施形態に係わるデジタル一眼レフカメラにおいて、液晶モニタを回動させた状態における背面側から見た外観斜視図である。
【図４】本発明の第１実施形態に係わるデジタル一眼レフカメラにおいて、外装部材の分解斜視図である。
【図５】本発明の第２実施形態に係わるデジタル一眼レフカメラにおいて、外装部材の分解斜視図である。
【図６】従来におけるデジタル一眼レフレックスカメラの撮影レンズの光軸方向の断面図である。
【図７】従来におけるデジタル一眼レフレックスカメラの撮影レンズの光軸方向の断面図であり、液晶モニタの厚みが厚い場合を示す。
【符号の説明】
【００４４】
１・・・交換レンズ、１０・・・カメラ本体、１１・・・可動反射ミラー、１１ａ・・・サブミラー、１２・・・ファインダユニット、１３・・・接眼光学系、１３ａ・・・レンズ（視度調節用）、１４・・・保護ガラス、１５・・・等倍光学系、１６・・・ＡＦユニット、１７・・・マウント、１８・・・フォーカシングスクリーン、１９・・・ペンタプリズム、２０ａ・・・アイポイント、２０ｂ・・・アイポイント、２１・・・撮像素子、２２・・・シャッタユニット、２３・・・基板、３０・・・外装部材、３１・・・トップカバーユニット、３２・・・フロントカバーユニット、３３・・・リヤカバーユニット、３３ａ・・・接眼枠、３４・・・リヤカバーユニット、３５・・・接眼枠ユニット、４１・・・モニタケース、４２・・・液晶モニタ、４５・・・シャッタ釦、１００・・・カメラ本体、１０１・・・交換レンズ、１１１・・・可動反射ミラー、１１３・・・接眼光学系、１１４・・・保護ガラス、１２１・・・シャッタユニット、１２２・・・ファインダユニット、１３０・・・外装体、１４０・・・液晶モニタ、１４１・・・モニタケース、１４２・・・液晶モニタ
【図１】
2009109529.tif 000003
【図２】
2009109529.tif 000004
【図３】
2009109529.tif 000005
【図４】
2009109529.tif 000006
【図５】
2009109529.tif 000007
【図６】
2009109529.tif 000008
【図７】
2009109529.tif 000009